(57)【要約】【課題】部品を削減できると共に組み立てが容易となり、そのうえ部品の組み立て強度を容易に確保できるようにすること。【解決手段】上レール５に案内されるローラー３４を軸支するローラー横軸３１と、ローラー横軸３１と略直交するランナー縦軸３２と、ローラー横軸３１とランナー縦軸３２とをそれぞれ支持するランナー本体２４と、引戸の上部に設けたランナー連結部材４０とを備え、ランナー本体２４とランナー連結部材４０とがランナー縦軸３２を介して連結されてなる引戸のランナー装置であって、前記ローラー横軸３１とランナー縦軸３２とランナー本体２４とを一体に形成してローラーブロック３０を構成し、ランナー連結部材４０に対してローラーブロック３０に一体形成されたランナー縦軸３２の下端３２ａを回転自在に且つ抜け止め状態で保持するための抜け止め部材１１３を設けたことを特徴としている。【選択図】図１
2007315107.tif 000002
【特許請求の範囲】
【請求項１】
上レールに案内されるローラーを軸支するローラー横軸と、ローラー横軸と略直交するランナー縦軸と、ローラー横軸とランナー縦軸とをそれぞれ支持するランナー本体と、引戸の上部に設けたランナー連結部材とを備え、ランナー本体とランナー連結部材とがランナー縦軸を介して連結されてなる引戸のランナー装置であって、前記ランナー本体とローラー横軸とランナー縦軸とを一体に形成してローラーブロックを構成し、ランナー連結部材に対してローラーブロックに一体成形されたランナー縦軸の下端を回転自在に且つ抜け止め状態で保持するための抜け止め部材を備えていることを特徴とする引戸のランナー装置。
【請求項２】
前記ローラーブロックを樹脂成形品として一体成形したことを特徴とする請求項１記載の引戸のランナー装置。
【請求項３】
前記抜け止め部材が、ランナー縦軸の下端に嵌着されてランナー連結部材に係止する止め輪で構成されていることを特徴とする請求項１又は請求項２のいずれか一項に記載の引戸のランナー装置。
【発明の詳細な説明】
【技術分野】
【０００１】
本発明は、上レールに案内されて開閉移動する上吊り式の引戸を備えた引戸のランナー装置に関するものである。
【背景技術】
【０００２】
従来から、上吊り式の引戸のランナー装置が上レールに走行自在に支持されて開閉移動する引戸装置が知られており、このランナー装置は、上レールに走行自在に支持されるローラーを有するランナー本体と、引戸の上部に取着されたランナー連結部材と、ランナー連結部材とランナー本体とを連結するランナー縦軸とを備え、ローラーを上レールに沿って転動させることで引戸の開閉移動がなされるようになっている（例えば、特許文献１参照）。
【０００３】
上記特許文献１に見られる従来例では、図１０に示すように、ローラー３４を有するランナー本体２４は、互いに直交するローラー横軸３１とランナー縦軸３２とによって複数方向に回転自由度を持っているため、直進だけでなく、曲進の場合の走行の安定感も同時に得られるようになる。また図１０では、ランナー本体２４の横方向に貫通する孔３３にローラー横軸３１を貫通させ、ローラー横軸３１の両端に一対のローラー３４が回転自在に取り付けられている。また、ローラー横軸３１の先端３１ａをカシメ付けすることで、ローラー３４はローラー横軸３１に取り付けられている。またこのとき、ローラー３４の外側面３４ｂには凹段部３４ａが形成され、ローラー横軸３１の先端３１ａのカシメ部分がローラー３４の外側面３４ｂよりも外方に突出しないようにしてある。さらにランナー本体２４のセンター位置には縦方向に座ぐり孔３５が形成され、ランナー縦軸３２を座ぐり孔３５からローラー横軸３１の中心に設けた貫通孔３６を通して、引戸１〜３側に取り付けたＬ形金具からなるランナー連結部材４０に対してカシメ付けされている。これによりローラー３４は、互いに直交するローラー横軸３１とランナー縦軸３２とによって複数方向に回転自由度を持っているため、直進だけでなく、曲進の場合の走行の安定感も同時に得られるようになっている。
【０００４】
しかしながら従来では、ローラー横軸３１とランナー縦軸３２とをランナー本体２４に対して、順次、組み付けていく組立方式であり、そのために部品数が増え、組み立て作業性が悪いという問題がある。特に、ローラー横軸３１の先端３１ａをカシメ付けすることで、ローラー３４をローラー横軸３１に取り付け、さらに、ランナー縦軸３２の下端をランナー連結部材４０にカシメ付けすることで、ランナー縦軸３２をランナー連結部材に取り付けているため、カシメ作業に手間がかかると共に、カシメ部分に負担がかかり、特にカシメ強度が不足している場合はカシメ部分でガタツキや外れが生じやすくなる。このため従来ではカシメ強度を十分に高める必要があり、組み立て作業に多大な手間とコストがかかるという問題があった。
【特許文献１】特開２００５−３３０７９４号公報
【発明の開示】
【発明が解決しようとする課題】
【０００５】
本発明は上記の従来の問題点に鑑みて発明したものであって、部品を削減できると共に組み立てが容易となり、そのうえ部品の組み立て強度を容易に確保できるようにした引戸のランナー装置を提供することを課題とするものである。
【課題を解決するための手段】
【０００６】
前記課題を解決するために本発明は、上レール５に案内されるローラー３４を軸支するローラー横軸３１と、ローラー横軸３１と略直交するランナー縦軸３２と、ローラー横軸３１とランナー縦軸３２とをそれぞれ支持するランナー本体２４と、引戸の上部に設けたランナー連結部材４０とを備え、ランナー本体２４とランナー連結部材４０とがランナー縦軸３２を介して連結されてなる引戸のランナー装置であって、前記ローラー横軸３１とランナー縦軸３２とランナー本体２４とを一体に形成してローラーブロック３０を構成し、ランナー連結部材４０に対してローラーブロック３０に一体形成されたランナー縦軸３２の下端３２ａを回転自在に且つ抜け止め状態で保持するための抜け止め部材１１３を設けたことを特徴としている。
【０００７】
このような構成とすることで、ランナー本体２４にローラー横軸３１とランナー縦軸３２とが一体に形成されたローラーブロック３０を備えているので、従来のようなローラー横軸とランナー縦軸とをランナー本体に対して順次組み付けていく組立方式と比較して部品数を減らすことができる。しかも、従来のようにローラー横軸３１の先端をローラー３４にカシメ付けしたり、ランナー縦軸３２の下端をランナー連結部材４０にカシメ付けしたりする必要がなくなる。そのうえ、ローラーブロック３０に一体形成されているランナー縦軸３２の下端３２ａを抜け止め部材１１３によってランナー連結部材４０に係止するだけでよいため、ローラーブロック３０とランナー連結部材４０の組み立てを容易に行なえると共に、継続的に振動が加えられた場合や振動が大きい場合であっても、抜け止め部材１１３が働いてランナー縦軸３２がランナー連結部材４０から外れるのを確実に防止できるようになる。
【０００８】
また、前記ローラーブロック３０を樹脂成形品として一体成形するのが好ましく、この場合、１種類の金型を用いてローラーブロック３０を一度で樹脂成形できるので、製造コストを大幅に削減できるものである。
【０００９】
また、前記抜け止め部材１１３が、ランナー縦軸３２の下端３２ａに嵌着されてランナー連結部材４０に係止する止め輪で構成されているのが好ましく、この場合、抜け止め部材１１３の構造を簡易にしながら、ランナー縦軸３２の抜け止め効果が十分に発揮されるようになり、部品の組み立て強度を確保できる。
【発明の効果】
【００１０】
本発明に係る引戸のランナー装置は、ランナー本体にローラー横軸とランナー縦軸とが一体に形成されたローラーブロックを備えているので、部品数が減り、組み立て作業性を向上させることができ、しかも、従来のカシメ作業を省略できると共に、カシメ部分でガタツキや外れが生じやすくなるといった問題もなくなり、さらに部品の組み立て強度を容易に確保できるものである。
【発明を実施するための最良の形態】
【００１１】
以下、本発明を添付図面に示す実施形態に基いて説明する。
【００１２】
本実施形態の引戸装置は、図６、図７に示すように、閉じた状態で連続して隣り合う３枚引戸１〜３の組が、中央引戸３と、中央引戸３の右側方に配置される一方引戸２と、中央引戸３の左側方に配置される他方引戸１とからなり、前記３枚引戸１〜３の組は、閉じた状態では面一となるように配置され、後述の誘導機構１９により、面一に閉じられた状態において一方引戸２を他方引戸１側に向かって移動して一方引戸２を他方引戸１の前面に重なるように誘導し、且つ中央引戸３を他方引戸１側に向かって移動して他方引戸１の後に重なるように誘導して前後に重なり合う状態で開くことができるようになっている。
【００１３】
ここで、図６は、一方引戸２を他方引戸１側に向かって移動して一方引戸２を他方引戸１の前面に重なるように誘導し、且つ中央引戸３を他方引戸１側に向かって移動して他方引戸１の後面に重なるように誘導する第１の開き動作を示し、図７は、面一に閉じられた状態にある３枚引戸１〜３の組において他方引戸１を一方引戸２側に向かって移動して他方引戸１を一方引戸２の前面に重なるように誘導し、且つ中央引戸３を一方引戸２側に向かって移動して一方引戸２の後面に重なるように誘導する第２の開き動作を示し、図６、図７の例では、第１の開き動作と第２の開き動作のいずれかを任意に選択自在となっている。
【００１４】
次に、誘導機構１９を説明する。本実施形態の誘導機構１９は、図２〜図４に示すように、３枚引戸１〜３を走行自在にガイドする上レール５と、各引戸１〜３の上端部にそれぞれ設けた左右２個の上ランナー２１〜２３とを備えている。ここで、３枚引戸１〜３の扉枠４は、左右の縦枠４ａと上レール５と下レール６とで構成されている。
【００１５】
上レール５は、躯体に固定される上レール本体５０と、上レールカバー５１とで構成される。上レールカバー５１は、直進部レールカバー５１Ａ、曲進部レールカバー５１Ｂ、分岐部材１８等で構成される。そして、上レール本体５０に上レールカバー５１を取り付けた状態で、図８、図９に示すように、上レール本体５０と上レールカバー５１との隙間に、前後方向Ａ，Ｂに並んで、溝状の共用レール部７と溝状の中央引戸用レール部８とが並設されるようになっている。共用レール部７は、左右両側の引戸１，２の各上端部の両端２箇所に設けた左右２個の上ランナー２１、２２をそれぞれ走行自在にガイドするものであり、中央引戸用レール部８は中央引戸３の上端部に設けた左右２個の上ランナー２３を走行自在にガイドするものである。なお図８中の２００は枠連結部材、Ｘは室内側、Ｙは天井側である。
【００１６】
前記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。
【００１７】
前記中央引戸用レール部８は、前側直進レール部９と平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。本例では外側曲進レール部１１、内側曲進レール部１２、湾曲レール部１３は、曲進部レールカバー５１Ｂに各々形成されている。なお、曲進部レールカバー５１Ｂは分岐部材１８を介して上レール本体５０に対してネジ止め固定されており、直進部レールカバー５１Ａは上レール本体５０に対してネジ止め固定されている。
【００１８】
ここにおいて、前記前側直進レール部９に設けた左右２個の外側曲進レール部１１の後端部と、左右２個の内側曲進レール部１２の後端部と、後側直進レール部１０における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は他方引戸１の左右の上ランナー２２間の距離に等しく、また、右側の外側曲進レール部１１の後端部と右側の内側曲進レール部１２の後端部との間の距離は一方引戸２の左右の上ランナー２１間の距離に等しく、更に、左右の湾曲レール部１３の前端部間の距離は中央引戸３の左右の上ランナー２３間の距離に等しく設定してある。
【００１９】
ここで、図５（ａ）に示す閉状態では、他方引戸１の各上ランナー２１が左側に位置する外側曲進レール部１１と内側曲進レール部１２の各後端部にそれぞれ入り込み、中央引戸３の各上ランナー２３が左右２個の湾曲レール部１３の各前端部にそれぞれ入り込み、且つ一方引戸２の各上ランナー２２が右側に位置する外側曲進レール部１１と内側曲進レール部１２の各後端部にそれぞれ入り込むことで、各引戸１〜３が上レール５の長手方向Ｍと平行な同一平面となるように並置される。
【００２０】
一方、図５（ｄ）に示す右開き状態では、他方引戸１の各上ランナー２１が左側に位置する外側曲進レール部１１と内側曲進レール部１２の各後端部にそれぞれ入り込み、中央引戸３の各上ランナー２３が後側直進レール部１０の左側にそれぞれ移動し、且つ一方引戸２の各上ランナー２２が前側直進レール部９の左側にそれぞれ移動することで、手前から順に一方引戸２と他方引戸１と中央引戸３とが重ねて並置される。
【００２１】
また、図７の左開き状態では、一方引戸２の各上ランナー２２が右側に位置する外側曲進レール部１１及び内側曲進レール部１２の各後端部にそれぞれ入り込み、中央引戸３の各上ランナー２３が後側直進レール部１０の右側にそれぞれ移動し、且つ、他方引戸１の各上ランナー２１が前側直進レール部９の右側にそれぞれ移動することで、手前から順に他方引戸１と一方引戸２と中央引戸３とが重ねて並置され、これら右開き状態と左開き状態とは選択自在となっている。つまり、誘導機構１９は、一方引戸２と中央引戸３と他方引戸１とを前後に重ねた状態で、中央引戸３を他方引戸１と重ならない位置に移動して他方引戸１と面一となるように誘導し、且つ一方引戸２を他方引戸１及び中央引戸３とは重ならない位置に移動して中央引戸３と面一となるように誘導する機能も兼ねている。
【００２２】
次に連動機構１５を説明する。
【００２３】
図５は連動機構１５の一例を示し、右開きの具体例を示している。ここでは、各引戸１〜３の相互の突き合わせ部には、互いに対向する一対の隙間隠し用Ｌ形部材１６が取り付けられている。また、図５（g）（ｈ）に示すように、操作側引戸の把手側の上端面から中央引戸３の移動径路に向って突出する当たり部１５ａと、当たり部１５ａの先端に設けた鉤形のフック部１５ｂと、中央引戸３の上端面から突出して当たり部１５ａに当接可能で且つフック部１５ｂに係脱可能な受け部材１５ｃとで構成されている。そして例えば右開きにする場合は、一方引戸２と中央引戸３とが図５（ａ）のように左右にずれた状態では受け部材１５ｃは当たり部１５ａ及びフック部１５ｂとは干渉せず、一方引戸２と中央引戸３とが図５（ｂ）のように概ね重なる段階で受け部材１５ｃが当たり部１５ａに片当たりして一方引戸２と中央引戸３との連動が始まり、図５（ｃ）のように他方引戸１を挟んで一方引戸２と中央引戸３とが前後に離反する段階で受け部材１５ｃが当たり部１５ａからフック部１５ｂに係合した状態となる。この係合状態は一方引戸２及び中央引戸３開位置になるまで持続される。逆に閉じる場合は、受け部材１５ｃがフック部１５ｂに入りこんでいるために、一方引戸２を途中まで閉じる段階までは中央引戸３は連動し、中央引戸３の閉位置で受け部材１５ｃがフック部１５ｂから外れ、さらに当たり部１５ａから離れることで、一方引戸２を閉位置まで単独で移動させることができる。従って、連動機構１５によって中央引戸３を連動させて開閉することが可能となり、中央引戸３を手で開閉する必要がなくなり、開閉操作がきわめて容易となる。
【００２４】
また本実施形態では、上ランナー２１〜２３を引戸１〜３の上端部に連結するためのランナー連結部材４０（図１（ａ））を、上ランナー２１〜２３が引戸１〜３の後面よりも後方Ｂはみ出して位置するように略Ｌ字形に屈曲形成している。ランナー連結部材４０の垂直片４０ａを引戸１〜３側に固定し、水平片４０ｂに上ランナー２１（又は２２、２３）のランナー縦軸３２を枢着している。このように、ランナー連結部材４０を略Ｌ字形に屈曲させることで、扉枠の見込み寸法（奥行き）を従来よりも小さくした場合でも、図２に示すように、引戸１〜３の開動作時に一方引戸２（操作側引戸）を室内側に突出させて配置できるので、クローゼットの場合、従来品よりも収納容量がアップすると共に、収納庫内に荷崩れが発生した場合でも、少なくとも１枚の引戸を開けることができる。また、室内から下レール６が見えにくくなり、見栄えが一層向上するものである。
【００２５】
ところで、引戸２，３の上端部に連動機構１５を設けている場合、引戸２，３の連動開始時や引戸の全閉時に、フック部１５ｂを回転中心、把手部を力点として、把手が取り付けられていない側の引戸の端部側に浮き上がりが発生しやすい。この浮き上がりが発生すると、商品としての品位を損なうだけでなく、フック部１５ｂ（図５（ｈ））が上レール５と接触して傷がついたり、或いは引戸の浮き上がりと同時にランナー本体２４が浮き上がり、上レール５内部の分岐部材１８を破損させるといった問題がある。そこで、本例では、図３に示すように、ランナー連結部材４０と上レール５との間に、樹脂製ワッシャーからなる浮き上がり防止スペーサ１２０を配置している。これにより、引戸の浮き上がりを最小限に押えるだけでなく、浮き上がりによる上レール５の傷付きを防止でき、さらに分岐部材１８の破損を防止できるようになる。
【００２６】
なお本例では、ローラーブロック３０のランナー縦軸３２よりも前方Ａ又は後方Ｂのいずれかに寄せて補助ローラー２５ａ又は２５ｂが取付軸３７にて各々取り付けられている。図３に示す例では、各引戸１〜３において、前記補助ローラー２５ａと補助ローラー２５ｂの突出高さ及びその突出位置を異ならせている。ここでは図３に示すように、一方引戸２及び他方引戸１の左側の補助ローラー２５ｂを手前側の位置から高く突出させ、右側の補助ローラー２５ａを後前側の位置から低く突出させている。また、中央引戸３の左側の補助ローラー２５ａを手前側の位置から低く突出させ、右側の補助ローラー２５ｂを後側の位置から高く突出させている。一方、第１の補助レール１８ａは、前側直進レール部９よりも手前側の位置から左側の外側曲進レール部１１に沿って短く垂下しており、第２の補助レール１８ｂは、前側直進レール部９よりも後側の位置から左側の内側曲進レール部１２に沿って長く垂下している。さらに、前側直進レール部９及び後側直進レール部１０に沿って、それぞれ、ランナー本体２４の両側面をガイドする前後一対のガイドリブ３８を設け、前記外側曲進レール部１１、内側曲進レール部１２、湾曲レール部１３の各分岐点とそれぞれ対向するガイドリブ３８の一部に、分岐部材１８によって曲進するランナー本体２４を外側曲進レール部１１又は内側曲進レール部１２又は湾曲レール部１３のいずれかに進行させるための切欠穴３９（図１０）を形成している。なお、補助ローラー２５ａ，２５ｂの高さ及び位置を異ならせることで、外側曲進レール部１１、内側曲進レール部１２、湾曲レール部１３の各分岐点において引戸１〜３の進行方向を直進か曲進かを決める構造は、例えば特開２００５−３３０７９４号公報に詳細に示されており、詳細な説明は省略する。
【００２７】
ここで本発明においては、上ランナー２１〜２２において、それぞれ、図１に示すように、ローラー横軸３１とランナー縦軸３２とランナー本体２４とが樹脂成形品からなるローラーブロック３０として一体形成されている。さらに、このローラーブロック３０に一体形成されているランナー縦軸３２の下端３２ａ側をランナー連結部材４０の係止孔に遊挿した状態でランナー縦軸３２の下端３２ａに係止孔よりも大径の抜け止め部材１１３を嵌着させることで、ランナー連結部材４０に対してローラーブロック３０に一体形成されたランナー縦軸３２の下端３２ａが回転自在に且つ抜け止め状態で保持されている。図１の例では、抜け止め部材１１３として、ランナー縦軸３２の下端３２ａに嵌着されてランナー連結部材４０に係止するＥリング１１３ａのような止め輪が用いられる。
【００２８】
しかして、ランナー本体２４はランナー縦軸３２を中心に回転自在となるので、ローラー３４は、互いに直交するローラー横軸３１とランナー縦軸３２とによって複数方向に回転自由度を持つようになり、直進だけでなく、曲進の場合の走行の安定感も同時に得られるようになっている。商品としての品位を高めることができる。
【００２９】
また本発明では、ランナー本体２４にローラー横軸３１とランナー縦軸３２とが一体に形成されたローラーブロック３０を備えているので、従来のようなローラー横軸３１とランナー縦軸３２とをランナー本体２４に対して順次組み付けていく組立方式と比較して部品数が減り、部品コストを低くできるようになる。さらに、従来のようにローラー横軸３１の先端３１ａをローラー横軸３１にカシメ付けしたり、ランナー縦軸３２の下端３２ａをランナー連結部材４０にカシメ付けしたりする必要がないため、本発明ではカシメ作業を省略できると共に、カシメ部分でガタツキや外れが生じやすくなるといった問題がなくなる。そのうえ、ローラーブロック３０に一体形成されているランナー縦軸３２の下端３２ａを抜け止め部材１１３によってランナー連結部材４０に係止するだけでよいため、ローラーブロック３０とランナー連結部材４０とを容易に係止できると共に、継続的に振動が加えられた場合や振動が大きい場合であっても、抜け止め部材１１３が働いてランナー縦軸３２がランナー連結部材４０から外れるのを確実に防止できるようになり、結果、組み立て作業を容易にしながら、組み立て部品の強度を容易に確保できるものである。
【００３０】
また、従来のようにランナー縦軸３２と、ランナー本体２４と、ランナー本体２４とを個別に成形する場合は、複数の金型を用いて個別に成形しなければならず、製造コストが高くつくのに対して、本発明では、ローラーブロック３０を樹脂成形品として一体成形したことにより、１種類の金型を用いてローラーブロック３０を一度で樹脂成形できるので、製造コストを大幅に削減できるものである。
【００３１】
さらに、抜け止め部材１１３として、ランナー縦軸３２の下端３２ａに嵌着されてランナー連結部材４０に係止するＥリング１１３ａを用いている。つまり、ランナー縦軸３２の先端３２ａ側に環状凹所３２ｂを形成し、この環状凹所３２ｂにＥリング１１３ａを嵌着しており、Ｅリング１１３ａがランナー連結部材４０の水平片４０ｂの下面に当たることで、ランナー縦軸３２の先端３２ａが水平片４０ｂの係止孔から抜け出るのが防がれている。さらに本例では、ランナー縦軸３２の環状凹所３２ｂよりも上方部に、水平片４０ｂの係止孔よりも大径の段差部３２ｃを設け、この段差部３２ｃを水平片４０ｂの上面に当接させているので、水平片４０ｂを段差部３２ｃとＥリング１１３ａとで上下から挟持するようになり、これにより、ランナー縦軸３２の上下の移動を規制でき、引戸のガタツキを吸収できる利点もある。
【００３２】
また、抜け止め部材１１３として、Ｅリング１１３ａ或いは薄板金属製のプッシュナットのような止め輪を用いることによって、抜け止め部材１１３の構造を簡易にしながら、ランナー連結部材４０からのランナー縦軸３２の抜け止め効果が十分に発揮されるようになり、部品の組み立て強度を確保できるものである。
【００３３】
本発明に係る引戸のランナー装置は、クローゼットの扉以外に各種の開閉扉の分野に広く適用可能である。
【図面の簡単な説明】
【００３４】
【図１】（ａ）は本発明の一実施形態に用いるローラーブロックとランナー連結部材とが結合された上ランナーの正面図、（ｂ）はローラーブロックの断面図である。
【図２】同上の上レールにランナー本体を吊り下げ支持した状態の説明図である。
【図３】（ａ）（ｂ）は同上のランナー本体を取り付けた状態の説明図である。
【図４】（ａ）は同上の引戸装置の正面図、（ｂ）は平面図、（ｃ）は側面図である。
【図５】（ａ）〜（ｄ）は同上の引戸の閉状態から右開き状態への移行を具体的に説明する平面図、（ｅ）は（ａ）のイ部の拡大図、（ｆ）は（ａ）のロ部の拡大図、（ｇ）は（ａ）のハ部の拡大図、（ｈ）は（ａ）のニ部の拡大図である。
【図６】同上の３枚引戸の右開き動作の説明図である。
【図７】同上の３枚引戸の左開き動作の説明図である。
【図８】同上の誘導機構を下方から見た斜視図である。
【図９】同上の誘導機構の分解斜視図である。
【図１０】（ａ）は従来の上ランナーの分解斜視図、（ｂ）（ｃ）は組み立て状態の斜視図である。
【符号の説明】
【００３５】
５  上レール
２１〜２３  上ランナー
２４  ランナー本体
３０  ローラーブロック
３１  ローラー横軸
３２  ランナー縦軸
３４  ローラー
４０  ランナー連結部材
１１３  抜け止め部材
１１３ａ  Ｅリング
【図１】
2007315107.tif 000003
【図２】
2007315107.tif 000004
【図３】
2007315107.tif 000005
【図４】
2007315107.tif 000006
【図５】
2007315107.tif 000007
【図６】
2007315107.tif 000008
【図７】
2007315107.tif 000009
【図８】
2007315107.tif 000010
【図９】
2007315107.tif 000011
【図１０】
2007315107.tif 000012